【手続補正書】
【提出日】平成15年10月6日(2003.10.6)
【手続補正１】
【補正対象書類名】明細書
【補正対象項目名】全文
【補正方法】変更
【補正の内容】
【発明の名称】遊技機
【特許請求の範囲】
【請求項１】遊技球を整列した状態で流下する球流下路を形成した裏機構盤を備え、該裏機構盤のベース面から左右一対の起立面を後方に起立して両起立面間に装着空部を形成し、該装着空部内に蛇行流路構成部材を装着して球流下路の一部を構成する遊技機であって、
前記蛇行流路構成部材は、
前記装着空部に取り付ける蓋材と、
該蓋材から前方に延設した縦板部と、
該縦板部から左右方向に延設されて球径より僅かに大きな空間を挟んで対向状態に形成された球案内面により前後に屈曲して形成した蛇行流路部と、
を備え、
前記起立面には、その後端縁に止着爪を形成し、
該止着爪を前記蓋材に係止させて前記蛇行流路構成部材を前記装着空部内に装着することを特徴とする遊技機。
【請求項２】遊技球を整列した状態で流下する球流下路を形成した裏機構盤を備え、該裏機構盤のベース面から左右一対の起立面を後方に起立して両起立面間に装着空部を形成し、該装着空部内に蛇行流路構成部材を装着して球流下路の一部を構成する遊技機であって、
前記装着空部には、当該装着空部のほぼ中央に前記両起立面と平行に立設した支持壁を形成し、
前記蛇行流路構成部材は、
前記装着空部に取り付ける蓋材と、
該蓋材の左右のほぼ中央から前方へ、前記支持壁が嵌合し得る間隔を空けて２枚延設した縦板部と、
該縦板部から左右方向に延設されて球径より僅かに大きな空間を挟んで対向状態に形成された球案内面により前後に屈曲して形成した蛇行流路部と、
を備え、
前記蛇行流路構成部材を前記蛇行流路部が前記支持壁の左右に入り込むようにして前記装着空部内に装着し、前記蓋材に設けた取付孔にネジを挿入して先端を前記支持壁に設けたネジ孔に螺合したことを特徴とする遊技機。
【発明の詳細な説明】
【０００１】
【発明の属する技術分野】
本発明は、パチンコ遊技機やアレンジボール式遊技機などの遊技機に関するものである。
【０００２】
【従来の技術】
従来の遊技機、例えばパチンコ遊技機においては、球排出装置から流下した遊技球を案内する球流下路を遊技盤の裏側に設けてある裏機構盤に形成するが、この球流下路は、垂直部分が長いと遊技球の流下勢が強すぎるので、途中を左右方向に屈曲させたり、或は途中を蛇行させることが多い。そして、この蛇行部分は、裏機構盤がプラスチック成型部品なので、前後方向に形成することが困難であり、左右方向に蛇行させる。
【０００３】
【発明が解決しようとする課題】
しかしながら、球流下路の途中を左右方向に蛇行させると、広さに限りある裏機構盤のスペースを有効に活用できず、スペース効率が低下する。
また、球流下路を形成した部分に他の部品を前後に重ねて取り付ける場合に、球流下路の内部に突出した部分ができると遊技球が引っ掛かってしまうので、取付構造が複雑になってしまうし、部品が大型化する。このため、球流下路の後方に他の部品を取り付けることはできるだけ避けられていた。
【０００４】
本発明は上記した事情に鑑み提案されたもので、その目的は、裏機構盤のスペース効率を低下させることなく球流下路の一部に蛇行流路を形成することができ、しかもこの蛇行流路に他の部品を前後に重ねて取り付けることができる遊技機を提供しようとするものである。
【０００５】
【課題を解決するための手段】
本発明は上記目的を達成するために提案されたもので、請求項１に記載のものは、遊技球を整列した状態で流下する球流下路を形成した裏機構盤を備え、該裏機構盤のベース面から左右一対の起立面を後方に起立して両起立面間に装着空部を形成し、該装着空部内に蛇行流路構成部材を装着して球流下路の一部を構成する遊技機であって、
前記蛇行流路構成部材は、
前記装着空部に取り付ける蓋材と、
該蓋材から前方に延設した縦板部と、
該縦板部から左右方向に延設されて球径より僅かに大きな空間を挟んで対向状態に形成された球案内面により前後に屈曲して形成した蛇行流路部と、
を備え、
前記起立面には、その後端縁に止着爪を形成し、
該止着爪を前記蓋材に係止させて前記蛇行流路構成部材を前記装着空部内に装着することを特徴とする遊技機である。
なお、「前方」は遊技機の前側、すなわち遊技者側である。また、「後方」は「前方」の反対側であり、遊技機の後側である。
【０００６】
請求項２に記載のものは、遊技球を整列した状態で流下する球流下路を形成した裏機構盤を備え、該裏機構盤のベース面から左右一対の起立面を後方に起立して両起立面間に装着空部を形成し、該装着空部内に蛇行流路構成部材を装着して球流下路の一部を構成する遊技機であって、
前記装着空部には、当該装着空部のほぼ中央に前記両起立面と平行に立設した支持壁を形成し、
前記蛇行流路構成部材は、
前記装着空部に取り付ける蓋材と、
該蓋材の左右のほぼ中央から前方へ、前記支持壁が嵌合し得る間隔を空けて２枚延設した縦板部と、
該縦板部から左右方向に延設されて球径より僅かに大きな空間を挟んで対向状態に形成された球案内面により前後に屈曲して形成した蛇行流路部と、
を備え、
前記蛇行流路構成部材を前記蛇行流路部が前記支持壁の左右に入り込むようにして前記装着空部内に装着し、前記蓋材に設けた取付孔にネジを挿入して先端を前記支持壁に設けたネジ孔に螺合したことを特徴とする遊技機である。
【０００７】
【発明の実施の形態】
以下、本発明の実施の形態を図面に基づいて説明する。
図１は代表的な遊技機であるパチンコ遊技機１の正面図、図２はパチンコ遊技機１の背面図である。
【０００８】
パチンコ遊技機１は、機枠２により囲われ、この機枠２に、大きな開口部を有する額縁状の前面枠３を開閉可能に取り付け、前面枠３の背面には、開口部を後方から塞ぐ様にして遊技盤収納フレームを後方から止着するとともに、この遊技盤収納フレームの下部にフレームボードを設け、フレームボード上に遊技盤４を載せて装着し、遊技盤収納フレームの裏側には、遊技盤４とほぼ平行な状態で裏機構盤５を取り付けてある。なお、遊技盤４の表面にはガイドレール等の区画部材によりほぼ円形の遊技領域６を形成し、この遊技領域６内に可変表示装置７や大入賞口９などの入賞具を配設するとともに障害釘を植設する。
【０００９】
裏機構盤５は、遊技盤４のほぼ中央から裏側に大きく突出する可変表示装置７などの部品を貫通させる開口部をほぼ中央に開設したプラスチック製の枠状体であり、遊技盤４とほぼ平行に延在するベース面１０を開口部を除いたほぼ全域に有し、このベース面１０を基準にして各種の流路を形成したり、或は別途成型した部品を取り付ける取付部を形成したりしてある。
【００１０】
具体的には、開口部よりも上方のベース面１０に成形した球タンク取付部には球貯留タンク１１を設け、この球貯留タンク１１の下方のベース面１０に球を２列に整列して導出する球導出樋１２を斜めに設け、開口部の一側（図２では右側）に形成した取付部には、球導出樋１２の出口に連通した状態で球排出ユニット１３を設け、該球排出ユニット１３の下方に、本実施形態における球流下路としての球排出路を縦方向に形成し、球排出ユニット１３の下方の球排出路の途中に蛇行流路構成部材１４を設け、この蛇行流路構成部材１４よりも下流側であって開口部の開口下端近傍に位置する球排出路の下端部分を屈曲してから左右方向のほぼ中央から開閉パネル１５の上皿１６に連通させ、開口部の他側（図２中では左側）に可変表示装置７や大入賞口９などを制御する役物制御装置１７を設け、該役物制御装置１７の下方に効果音制御装置１９を、その下方に球排出ユニット１３等を制御する排出制御装置２０を、その下方に打球発射装置２１を制御する発射制御装置２２を設ける。なお、図中、２３は中継基板である。
【００１１】
球排出ユニット１３は、本実施形態においては、２列の球を各列ごとに流下制御するので、図３から図５に示すように、ケーシングの内部に、球流下路の一部となる流路２５を２本独立した状態で形成し、各流路２５ごとにセンサー２６を設けるとともに、センサー２６の下流側に流路２５内に出没可能なストッパー２７を設け、各ストッパー２７にソレノイド３０を接続して構成してある。図４に示すように、ストッパー２７の先端２７′が流路２５内に突出した状態では流路２５内の遊技球がこのストッパー２７の先端２７′に当接して流下が阻止されている。そして、排出制御装置２０からの信号によりソレノイド３０が励磁すると、図５に示すように、ストッパー２７の先端２７′が流路２５から後退するので、流路２５内で停止していた遊技球が流下する。なお、センサー２６により遊技球を検出してソレノイド３０の励磁・消磁を制御することにより所望数の遊技球を流下制御することができる。そして、球排出ユニット１３から流下した遊技球は、その下方の球排出路を流下し、流下する途中で蛇行流路内を通ることにより流下する速度（流下勢）が減速される。
【００１２】
次に、蛇行流路を形成する蛇行流路構成部材１４について説明する。
まず、蛇行流路構成部材１４を装着する裏機構盤５には、図６に示すように、開口部の右側に位置したベース面１０から左右一対の起立面３１を後方に起立して両起立面３１の間に装着空部３２を形成し、この装着空部３２内に蛇行流路構成部材１４を装着できるように構成する。なお、本実施形態では、起立面３１の後端縁に、蛇行流路構成部材１４を止着する止着爪３３を起立面３１と一体成型する。また、装着空部３２には前方に蛇行した蛇行流路部が入り込む凹部３４を形成する。
【００１３】
蛇行流路構成部材１４は、プラスチックにより成型された部材であり、図６に示すように、裏機構盤５に形成された装着空部３２の両起立面３１間に取り付ける蓋材３５と、該蓋材３５の左右のほぼ中央から前方に延設した縦板部３６と、縦板部３６の左右両面から左右方向に球径以上の寸法で延設されて球径より僅かに大きな空間を挟んで対向した状態で形成された球案内面３７と、対向した球案内面３７により、蓋材３５直前の上後部から斜め前方に一旦滑らかに屈曲して、蓋材３５から最も離隔した最前部から再び斜め後方に滑らかに屈曲させて蓋材３５前方の下後部に後退するように形成した横Ｕ字状の蛇行流路部３９と、蛇行流路部３９の上後部と下後部との間の蓋材３５に部品取付部として開設された部品取付孔４０とを備えている。また、本実施形態における蛇行流路構成部材１４の蓋材３５の下端には、下流側の球排出路を構成する球流路構成部材４１を裏機構盤５側に押圧する押圧部として係合片４２を蓋材３５の下端縁から下方に突出した状態で一体成型してある。
【００１４】
この蛇行流路構成部材１４を、蛇行流路部３９が凹部３４内に入り込むようにして裏機構盤５の装着空部３２内に装着して止着爪３３を蓋材３５に係止して止着すると、蛇行流路部３９の上後部が球排出ユニット１３の出口側に連通し、下後部が下流側に取り付けた球流路構成部材４１の上端入口側に連通し、これにより球流下路の途中が前後方向に蛇行した状態で一連に連通する。また、蛇行流路構成部材１４を装着空部３２内に装着すると、蓋材３５の下端に形成した係合片４２が下方に取り付けられている球流路構成部材４１の上端部分を裏機構盤５側に押圧する。
【００１５】
この様に、蛇行流路構成部材１４を取り付けることにより球排出路を前後方向に蛇行させると、球排出ユニット１３から流下した遊技球がこの蛇行流路部３９内を流下する際に、流下勢が減殺されるので、その下流側で球排出路が屈曲していても、大きな衝撃を発生することなく、また勢い良く跳ね返ることなく静かに円滑に流下方向を変換して、球排出路の出口から所定数の遊技球を上皿１６内に貸し球、或は賞球として排出することができる。そして、この様に球排出路の途中を蛇行させても、この蛇行流路部３９が前後方向に蛇行しているので、裏機構盤５のスペースを大きく占有することもない。したがって、広さに限り有る裏機構盤５のスペースを有効に活用することができる。
【００１６】
また、この蛇行流路構成部材１４の蓋材３５には、配線保持具５０を取り付けることができる。この配線保持具５０は、図７に示すように、弾性を有するプラスチックによって一体成型したものであり、取付軸５１の先端にやじり状の係合部５２を形成し、取付軸５１の基端に低い円錐状押圧部５３を先端側に拡大する状態で形成し、取付軸５１の基端から後方に配線保持腕５４を形成してある。したがって、この配線保持具５０の取付軸５１を蓋材３５の部品取付孔４０内に先端から挿入すると、縮幅した係合部５２が部品取付孔４０を通過した時点で弾性力により拡幅復元して蓋材３５の内側の面（前方の面）に係止するとともに、円錐状押圧部５３が蓋材３５の外側の面（後方の面）を押圧し、両方向の力の作用により配線保持具５０を蓋材３５にがたつくことなく取り付けることができる。
【００１７】
なお、配線保持具５０の取付軸５１を蓋材３５の部品取付孔４０から挿入して取付軸５１の先端部分が蓋材３５の前方に突出しても、この部分は流路が前方に蛇行していて空部になっているので、球流下路内に取付軸５１が突出することはなく、遊技球の流下に支障を来すことはない。
そして、この様にして取り付けた配線保持具５０の配線保持腕５４に配線５５を引っ掛けて保持すると、図２に示すように、中継基板２３への配線５５を整然と止着処理することができる。
【００１８】
図８および図９に示す他の実施形態は、２本の球流下路を少し間隔を空けて配置することができ、しかもこの間隔を利用して蛇行流路構成部材１４′を裏機構盤５に対してネジ等で簡単に止着できるように構成したものである。
具体的に説明すると、図８に示すように、裏機構盤５のベース面１０から起立する左右一対の起立面３１の間隔を少し大きく設定し、両起立面３１間のほぼ中央（装着空部３２のほぼ中央）に起立面３１と平行に支持壁６０を支持部として立設し、この支持壁６０の上下のほぼ中央に凹部６１を形成する。
【００１９】
一方、この装着空部３２に装着する蛇行流路構成部材１４′は、装着空部３２の両起立面３１間に取り付ける蓋材３５′と、該蓋材３５′の左右のほぼ中央に前記支持壁６０が嵌合し得る間隔を空けて前方に延設した２枚の縦板部３６′と、縦板部３６′から左右方向に球径以上の寸法で延設されて球径より僅かに大きな空間を挟んで対向した状態で形成された球案内面３７と、対向した球案内面３７により、蓋材３５直前の上後部から斜め前方に一旦滑らかに屈曲して、蓋材３５′から最も離隔した最前部から再び斜め後方に滑らかに屈曲させて蓋材３５′の前方の下後部に後退するように形成した横Ｕ字状の蛇行流路部３９と、蓋材３５′に部品取付部として開設された部品取付孔４０とを備えている。また、本実施形態における蛇行流路構成部材１４′の蓋材３５′の上端には、上流側の球排出ユニット１３を裏機構盤５側に押圧する押圧部として係合腕６２を蓋材３５′の上部に回動可能に取り付け、下部には、前記実施形態と同様に係合片４２を下端縁から下方に突出した状態で一体成型してある。
【００２０】
この蛇行流路構成部材１４′を、蛇行流路部３９が支持壁６０の左右に入り込むようにして裏機構盤５の装着空部３２内に装着し、蓋材３５′の取付孔６３内にビスを挿入して先端を支持壁６０のネジ孔６４内にねじ込むと、蛇行流路部３９の上後部が球排出ユニット１３の出口側に連通し、下後部が下流側に取り付けた球流路構成部材４１の上端入口側に連通し、これにより球流下路の途中が前後方向に蛇行した状態で一連に連通する。また、蛇行流路構成部材１４′を装着空部３２内に装着すると、蓋材３５の上部に設けた係合腕６２を上方の球排出ユニット１３の下部に係合することにより球排出ユニット１３を裏機構盤５側に押圧して止めることができ、下端に形成した係合片４２が下方に取り付けられている球流路構成部材４１の上端部分を裏機構盤５側に押圧する。そして、本実施形態では、ビスで止着することができるので、簡単に装着することができるし、装着空部３２や蛇行流路構成部材１４′を成型する際に使用する金型も構造の簡略化が図れる。
また、前記実施形態と同様に、蓋材３５′の部品取付孔４０を利用して配線保持具５０を取り付けることができ、この場合、蓋材３５′の前方に取付軸５１の先端が突出しても、この部分は球流下路が前方に蛇行しており、また、支持壁６０に凹部６１が形成してあるので支障はない。
【００２１】
なお、前記した各実施形態では、球流下路を２本、すなわち２条タイプであるが、球流下路の数はこれに限定されるものではなく、例えば１本でもよい。そして、本発明における球流下路は、前記実施形態における球排出路に限定されるものではなく、遊技球を流下する流路であればよく、例えば入賞球を流下するセーフ球流下路やアウト球流下路でもよい。また、蓋材３５に設ける部品取付部は、取付孔に限らないし、この部品取付部を利用して取り付ける部品も配線保持具５０に限定されるものではなく、適宜設計変更することができる。
また、本発明は、パチンコ遊技機１に限らず、他の遊技機、例えばアレンジボール式遊技機、雀球式遊技機、パチコン遊技機などでもよい。
【００２２】
【発明の効果】
以上説明したように本発明によれば、以下の効果を奏する。
請求項１の発明によれば、遊技球を整列した状態で流下する球流下路を形成した裏機構盤を備え、該裏機構盤のベース面から左右一対の起立面を後方に起立して両起立面間に装着空部を形成し、該装着空部内に蛇行流路構成部材を装着して球流下路の一部を構成する遊技機であって、前記蛇行流路構成部材は、前記装着空部に取り付ける蓋材と、該蓋材から前方に延設した縦板部と、該縦板部から左右方向に延設されて球径より僅かに大きな空間を挟んで対向状態に形成された球案内面により前後に屈曲して形成した蛇行流路部とを備え、前記起立面には、その後端縁に止着爪を形成し、該止着爪を前記蓋材に係止させて前記蛇行流路構成部材を前記装着空部内に装着するので、蛇行流路構成部材を装着空部内に装着すると、球流下路の一部を前後に蛇行させることができる。
したがって、流下する遊技球の流下勢を蛇行流路によって減殺することができるばかりでなく、蛇行流路が前後方向に蛇行するので、裏機構盤に装着した場合の占有スペースを左右方向に蛇行させた従来に比較して、少なくすることができる。このため、裏機構盤のスペース利用効率を高めることができる。
【００２３】
さらに、蛇行流路構成部材を取り外すことにより、蛇行した球流下路の内部を容易に清掃することができる。したがって、従来は多大な労力を要していた蛇行流下路内の清掃作業の労力を軽減することができる。
【００２４】
請求項２の発明によれば、装着空部には、当該装着空部のほぼ中央に前記両起立面と平行に立設した支持壁を形成し、蛇行流路構成部材は、前記装着空部に取り付ける蓋材と、該蓋材の左右のほぼ中央から前方へ、前記支持壁が嵌合し得る間隔を空けて２枚延設した縦板部と、該縦板部から左右方向に延設されて球径より僅かに大きな空間を挟んで対向状態に形成された球案内面により前後に屈曲して形成した蛇行流路部とを備え、前記蛇行流路構成部材を前記蛇行流路部が前記支持壁の左右に入り込むようにして前記装着空部内に装着し、前記蓋材に設けた取付孔にネジを挿入して先端を前記支持壁に設けたネジ孔に螺合したので、２本の球流下路を少し間隔を空けて配置することができ、しかもこの間隔を利用して蛇行流路構成部材を裏機構盤に対して簡単に止着することができる。
【図面の簡単な説明】
【図１】パチンコ遊技機の正面図である。
【図２】パチンコ遊技機の背面図である。
【図３】球排出ユニットの斜視図である。
【図４】球排出ユニットの遊技球の流下を停止した状態における断面図である。
【図５】球排出ユニットの遊技球の流下を許容した状態における断面図である。
【図６】裏機構盤の装着空部と蛇行流路構成部材の分解した状態の斜視図である。
【図７】裏機構盤の装着空部に蛇行流路構成部材を装着した状態の断面図である。
【図８】裏機構盤の装着空部と蛇行流路構成部材の他の実施形態の分解した状態における斜視図である。
【図９】図８に示す蛇行流路構成部材を裏機構盤の装着空部に装着した状態における断面図である。
【符号の説明】
１  パチンコ遊技機
２  機枠
３  前面枠
４  遊技盤
５  裏機構盤
６  遊技領域
７  可変表示装置
９  大入賞口
１０  ベース面
１１  球貯留タンク
１２  球導出樋
１３  球排出ユニット
１４  蛇行流路構成部材
１５  開閉パネル
１６  上皿
１７  役物制御装置
１９  効果音制御装置
２０  排出制御装置
２１  打球発射装置
２２  発射制御装置
２３  中継基板
２５  球排出ユニット内の流路
２６  センサー
２７  ストッパー
３０  ソレノイド
３１  起立面
３２  装着空部
３３  止着爪
３４  凹部
３５  蓋材
３６  縦板部
３７  球案内面
３９  蛇行流路部
４０  部品取付孔
４１  球流路構成部材
４２  係合片
５０  配線保持具
５１  取付軸
５２  係合部
５３  円錐状押圧部
５４  配線保持腕
５５  配線
６０  支持壁
６１  凹部
６２  係合腕
６３  取付孔
６４  ネジ孔